(57)【要約】【課題】容易に着脱することを可能とした胸部プロテクターを提供する。【解決手段】着用者胸部の左側部分を覆う被覆体であって右側の端部を備える左側被覆体１１Ｌと、着用者胸部の右側部分を覆う被覆体であって左側の端部を備える右側被覆体１１Ｒとを備え、各被覆体１１は、表部材１４と裏部材とを含む積層体であり、各被覆体１１は、各被覆体１１の端部に配置された差込凹部１３と、各被覆体１１の端部に配置され他の被覆体１１の差込凹部１３に差し込まれる差込部１２とを備える。【選択図】図２
2018154947.tif 000002
【特許請求の範囲】
【請求項１】
着用者胸部の左側部分を覆う被覆体であって右側の端部を備える左側被覆体と、
着用者胸部の右側部分を覆う被覆体であって左側の端部を備える右側被覆体とを備え、
前記各被覆体は、表部材と裏部材とを含む積層体であり、
前記各被覆体は、
前記各被覆体の前記端部に配置された差込凹部と、
前記各被覆体の前記端部に配置され他の前記被覆体の前記差込凹部に差し込まれる差込部と
を備える胸部プロテクター。
【請求項２】
前記差込部が前記差込凹部に差し込まれた状態において、前記差込部が前記差込凹部に差し込まれた部分に対して裏から表に向けて突き出るように曲げる力が加わったときに、前記差込部が前記差込凹部から抜けることを許容する
請求項１に記載の胸部プロテクター。
【請求項３】
前記差込部は、前記各被覆体の前記端部において、前記表部材と前記裏部材の各々から他の前記被覆体に向けて突出した第１突出片により構成され、
前記差込凹部は、前記各被覆体の前記端部において、前記第１突出片の間であって、前記表部材と前記裏部材の各々から他の前記被覆体に向けて突出した第２突出片の間に構成されている
請求項１または２に記載の胸部プロテクター。
【請求項４】
前記差込凹部は、前記差込部が差し込まれた状態で、前記差込部と対向する面に係合部を備え、
前記差込部は、前記差込凹部に差し込まれた状態で、前記係合部が設けられた前記差込凹部の面と対向する面に、前記係合部が係合する被係合部を備え、
前記差込部が前記差込凹部に差し込まれた状態において、前記差込部が前記差込凹部に差し込まれた部分に対して裏から表に向けて突き出るように曲げる力が加わったときに、前記係合部と前記被係合部とは、前記差込部と前記差込凹部との間隙が広がる部位に位置して係合が解除される
請求項３に記載の胸部プロテクター。
【請求項５】
前記係合部は、前記差込凹部の前記表部材が備える前記第１突出片の裏面に配置され、
前記被係合部は、前記差込部の前記表部材が備える前記第２突出片の表面に配置されている
請求項４に記載の胸部プロテクター。
【発明の詳細な説明】
【技術分野】
【０００１】
本発明は、着用者の胸部を保護する胸部プロテクターに関する。
【背景技術】
【０００２】
特許文献１のように、着用者の着用体の内側に着脱可能に装着して、着用者の胸部を保護する胸部プロテクターが知られている。
【先行技術文献】
【特許文献】
【０００３】
【特許文献１】特許第２８８５１９４号公報
【発明の概要】
【発明が解決しようとする課題】
【０００４】
胸部プロテクターが１つの被覆体で着用者胸部の全体を覆うように配置されるものであると、休憩のときなどに、着用体の胸部ファスナーを下げても、胸部プロテクターが着用者胸部を覆ったままであり、胸部の通気性が少ない。涼をとるため、胸部プロテクターを外すときには、着用体を脱ぐ必要があり、その作業が面倒である。
【０００５】
本発明は、容易に着脱を可能とした胸部プロテクターを提供することを目的とする。
【課題を解決するための手段】
【０００６】
上記課題を解決する胸部プロテクターは、着用者胸部の左側部分を覆う被覆体であって右側の端部を備える左側被覆体と、着用者胸部の右側部分を覆う被覆体であって左側の端部を備える右側被覆体とを備え、前記各被覆体は、表部材と裏部材とを含む積層体であり、前記各被覆体は、前記各被覆体の前記端部に配置された差込凹部と、前記各被覆体の前記端部に配置され他の前記被覆体の前記差込凹部に差し込まれる差込部とを備える。
【０００７】
このような構成によれば、差込凹部に対して差込部を抜き差しするだけで、左側被覆体と右側被覆体とを容易に分割することができる。また、表部材と裏部材を備えることで、胸部プロテクターとしての強度を高めることができる。
【０００８】
上記胸部プロテクターにおいて、前記差込部が前記差込凹部に差し込まれた状態において、前記差込部が前記差込凹部に差し込まれた部分に対して裏から表に向けて突き出るように曲げる力が加わったときに、前記差込部が前記差込凹部から抜けることを許容する構成としてもよい。
このような構成によれば、差込部が差込凹部に差し込まれた部分に対して裏から表に向けて突き出るように曲げる力を加えることで、容易に差込部を差込凹部から引き抜くことができる。
【０００９】
上記胸部プロテクターにおいて、前記差込部は、前記各被覆体の前記端部において、前記表部材と前記裏部材の各々から他の前記被覆体に向けて突出した第１突出片により構成され、前記差込凹部は、前記各被覆体の前記端部において、前記第１突出片の間であって、前記表部材と前記裏部材の各々から他の前記被覆体に向けて突出した第２突出片の間に構成されているようにしてもよい。
このような構成によれば、表部材および裏部材に突出片を設けるだけで、差込部と差込凹部を容易に設けることができる。
【００１０】
上記胸部プロテクターにおいて、前記差込凹部は、前記差込部が差し込まれた状態で、前記差込部と対向する面に係合部を備え、前記差込部は、前記差込凹部に差し込まれた状態で、前記係合部が設けられた前記差込凹部の面と対向する面に、前記係合部が係合する被係合部を備え、前記差込部が前記差込凹部に差し込まれた状態において、前記差込部が前記差込凹部に差し込まれた部分に対して裏から表に向けて突き出るように曲げる力が加わったときに、前記係合部と前記被係合部とは、前記差込部と前記差込凹部との間隙が広がる部位に位置して係合が解除される構成としてもよい。
このような構成によれば、差込部が差込凹部に差し込まれた部分に対して裏から表に向けて突き出るように曲げる力を加えることで、係合部と被係合部の係合が解除され、容易に差込部を差込凹部から引き抜くことができる。
【００１１】
上記胸部プロテクターにおいて、前記係合部は、前記差込凹部の前記表部材が備える前記第１突出片の裏面に配置され、前記被係合部は、前記差込部の前記表部材が備える前記第２突出片の表面に配置されている構成としてもよい。
このような構成によれば、差込部が差込凹部に差し込まれた部分に対して裏から表に向けて突き出るように曲げる力を加えることで、係合部と被係合部の係合が解除され、容易に差込部を差込凹部から引き抜くことができる。また、表から裏に向けて曲げる力が加わったときには、対向面同士が押され、係合部と被係合部の係合が維持される。これにより、差込部が差込凹部に対して抜けにくく、左側被覆体と右側被覆体とが分離されにくくなる。
【発明の効果】
【００１２】
本発明によれば、軽量化を可能とした胸部プロテクターを提供することができる。
【図面の簡単な説明】
【００１３】
【図１】本実施形態の胸部プロテクターの斜視図。
【図２】本実施形態の胸部プロテクターの左側被覆体と右側被覆体とを分離した状態を示す正面図。
【図３】本実施形態の胸部プロテクターを表側から見た分解斜視図。
【図４】本実施形態の胸部プロテクターを裏側から見た分解斜視図。
【図５】左側被覆体と右側被覆体における差込部と差込凹部を示す斜視図。
【図６】本実施形態の被覆体を構成する中空構造体について説明する図であって、（ａ）は中空構造体を示す斜視図、（ｂ）は（ａ）におけるβ−β線断面図、（ｃ）は（ａ）におけるγ−γ線断面図。
【図７】（ａ）〜（ｃ）は本実施形態の中空構造体の成形工程について説明する図。
【図８】本実施形態の胸部プロテクターの断面図。
【発明を実施するための形態】
【００１４】
以下、本発明を具体化した胸部プロテクターについて図面を参照して説明する。本明細書において、上下、前後、左右は、着用者から見た上下、前後、左右を基準にしたものとする。
【００１５】
図１に示すように、胸部プロテクター１０は、ライダージャケットなどの着用体１の内側に着用するものであって、着用者胸部を前面側から保護するものである。胸部プロテクター１０は、着用者胸部の左側部分を覆う左側被覆体１１Ｌと、着用者胸部の右側部分を覆う右側被覆体１１Ｒとを備えている。そして、左側被覆体１１Ｌおよび右側被覆体１１Ｒは、着用者胸部の前面で、左右に分割可能に構成されている。胸部プロテクター１０は、装着ベルト２が取り付けられている。なお、以下、左側被覆体１１Ｌおよび右側被覆体１１Ｒとをまとめて被覆体１１ともいう。
【００１６】
装着ベルト２は、左側被覆体１１Ｌに対する左側取付部３Ｌと右側被覆体１１Ｒに対する右側取付部３Ｒとに取り付けられている。左側取付部３Ｌおよび右側取付部３Ｒは、装着ベルト２を左側被覆体１１Ｌおよび右側被覆体１１Ｒに取り付ける部材である。装着ベルト２は、左側取付部３Ｌから延び着用者の左肩に掛けられる左側肩掛けベルト部４Ｌと、右側取付部３Ｒから延び着用者の右肩に掛けられる右側肩掛けベルト部４Ｒとを備えている。さらに、装着ベルト２は、左側取付部３Ｌおよび右側取付部３Ｒから背部を通るように延びる周回ベルト部５を備えている。さらに、装着ベルト２は、着用者の背部において、左側肩掛けベルト部４Ｌと右側肩掛けベルト部４Ｒと周回ベルト部５とを繋ぐ背部ベルト部６を備えている。
【００１７】
図２に示すように、胸部プロテクター１０は、着用者胸部の前面で、左側被覆体１１Ｌと右側被覆体１１Ｒとを左右に分割することができる。そして、左側被覆体１１Ｌにおける着用者胸部の中央であって上下方向に延びる右側の端部には、左側差込凹部１３Ｌと左側差込部１２Ｌとが上下方向に交互に配置されている。また、右側被覆体１１Ｒにおける着用者胸部の中央であって上下方向に延びる左側の端部にも、右側差込部１２Ｒと右側差込凹部１３Ｒとが上下方向に交互に配置されている。ただし、左側被覆体１１Ｌにおける左側差込部１２Ｌと左側差込凹部１３Ｌの並ぶ順番と右側被覆体１１Ｒにおける右側差込部１２Ｒと右側差込凹部１３Ｒの並ぶ順番は、逆となっている。これにより、左側差込部１２Ｌが右側差込凹部１３Ｒに差し込み可能であり、右側差込部１２Ｒが左側差込凹部１３Ｌに差し込み可能となる。
【００１８】
図３および図４に示すように、左側被覆体１１Ｌは、２枚の板体を重ねた積層体であり、上下に重ねられる左側表部材１４Ｌと左側裏部材１５Ｌとを備えている。右側被覆体１１Ｒもまた、２枚の板体を重ねた積層体であり、上下に重ねられる右側表部材１４Ｒと右側裏部材１５Ｒとを備えている。なお、以下、左側表部材１４Ｌおよび右側表部材１４Ｒをまとめて表部材１４といい、左側裏部材１５Ｌおよび右側裏部材１５Ｒをまとめて裏部材１５ともいう。
【００１９】
表部材１４および裏部材１５は、熱可塑性樹脂などの合成樹脂の成形体であって、内部にハニカムコア構造などの中空構造を設けた構造体である。このような中空構造体は、軽量であって着用者に取って負担する重量が軽く、また、プロテクターとしての優れた衝撃吸収性を発揮する。また、表部材１４および裏部材１５は、着用者胸部の形状に倣い胸部の前面側中央部から脇部に亘って被覆するような湾曲形状を有している。表部材１４は、胸部プロテクター１０の表面を構成する第１表面１４Ａと、第１表面１４Ａに対して反対側の裏面であって裏部材１５に対向する第１裏面１４Ｂとを備えている。また、裏部材１５は、第１裏面１４Ｂと対向する第２表面１５Ａと、第２表面１５Ａに対して反対側であって胸部プロテクター１０の裏面を構成する第２裏面１５Ｂとを備えている。
【００２０】
表部材１４および裏部材１５を重ねた状態に結合するため、表部材１４は、第１表面１４Ａから第１裏面１４Ｂに亘って貫通する表側結合孔１６Ｓを備えている。また、裏部材１５は、第２表面１５Ａから第２裏面１５Ｂに亘って貫通する裏側結合孔１６Ｂを備えている。表側結合孔１６Ｓおよび裏側結合孔１６Ｂは、表部材１４および裏部材１５において、差込部１２および差込凹部１３が配置された側とは反対側、すなわち胸部の脇に位置する縁部の上下のコーナ部近傍に配置されている。表側結合孔１６Ｓおよび裏側結合孔１６Ｂは、表部材１４および裏部材１５を重ねたときに重なり、結合ピン１７が挿通される。表部材１４および裏部材１５は、表側結合孔１６Ｓおよび裏側結合孔１６Ｂの位置において、結合ピン１７がかしめられることによって結合される。
【００２１】
さらに、表部材１４および裏部材１５を重ねた状態に結合し、さらに取付部３を被覆体１１に取り付けるための結合ベルト７（図１参照）を挿通するため、表部材１４は、第１表面１４Ａから第１裏面１４Ｂに亘って貫通する表側挿通孔１８Ｓを備えている。また、裏部材１５は、第２表面１５Ａから第２裏面１５Ｂに亘って貫通する裏側挿通孔１８Ｂを備えている。表側挿通孔１８Ｓおよび裏側挿通孔１８Ｂは、表部材１４および裏部材１５において各々が一例として矩形形状を有している。そして、差込部１２および差込凹部１３が配置された端部に近い位置であって、上下方向に並んで２つ設けられている。表側挿通孔１８Ｓおよび裏側挿通孔１８Ｂは、表部材１４および裏部材１５が重ねられたとき重なる位置に設けられている。一例として、結合ベルト７は、基端部に係止部を備えた面ファスナーを備えたテープ部材である。結合ベルト７は、基端部の係止部を上側の裏側挿通孔１８Ｂに係止させ、先端部を、上側の裏側挿通孔１８Ｂおよび表側挿通孔１８Ｓの順に挿通し、次いで、先端部を下側の表側挿通孔１８Ｓから裏側挿通孔１８Ｂに挿通し、表部材１４上に延在される。そして、先端部を、表部材１４および裏部材１５の下端部に巻回し、表部材１４上で、表部材１４上に延在している結合ベルト７に結合する。結合ベルト７には、さらに、着用体１の裏側に雌ボタンに結合される雄ボタンが配置されている。
【００２２】
さらに、胸部プロテクター１０の装着時において、胸部プロテクター１０の内側の空間部と外部空間との間の通気性を確保するため、表部材１４は、第１表面１４Ａから第１裏面１４Ｂに亘って貫通する表側貫通孔１９Ｓを備えている。また、裏部材１５は、第２表面１５Ａから第２裏面１５Ｂに亘って貫通する裏側貫通孔１９Ｂを備えている。表側貫通孔１９Ｓおよび裏側貫通孔１９Ｂは、表部材１４および裏部材１５が重ねられたときに重なる位置に設けられており、通気孔として機能する。
【００２３】
表部材１４および裏部材１５が着用者胸部の形状に倣う湾曲形状を有する中で、表側貫通孔１９Ｓおよび裏側貫通孔１９Ｂは、その側面を構成する周壁が表部材１４および裏部材１５の中の複数箇所に設けられることによって、表部材１４および裏部材１５の強度を高めるようにもしている。なお、表側結合孔１６Ｓおよび裏側結合孔１６Ｂ、ならびに、表側挿通孔１８Ｓおよび裏側挿通孔１８Ｂについても、同様に成形され、強度を高める機能を備えている。
【００２４】
左側被覆体１１Ｌは、着用者胸部の中央であって上下方向に延びる右側端部に、上から順に左側差込凹部１３Ｌ、左側差込部１２Ｌ、左側差込凹部１３Ｌ、左側差込部１２Ｌの順に配置されている。また、右側被覆体１１Ｒは、着用者胸部の中央であって上下方向に延びる左側端部に、上から順に右側差込部１２Ｒ、右側差込凹部１３Ｒ、右側差込部１２Ｒ、右側差込凹部１３Ｒの順に配置されている。
なお、以下、左側差込部１２Ｌおよび右側差込部１２Ｒをまとめて差込部１２ともいい、左側差込凹部１３Ｌおよび右側差込凹部１３Ｒをまとめて差込凹部１３ともいう。
【００２５】
図５に示すように、被覆体１１の差込部１２は、表部材１４から相手方の被覆体１１の方向に突出する表側第１突出片２１Ｓと、裏部材１５から相手方の被覆体１１の方向に突出する裏側第１突出片２１Ｂとを備えている。表側第１突出片２１Ｓの第１表面１４Ａは、第１表面１４Ａに凹部形状の窪みを設けることによって、周囲の領域より１段低くなるように形成されている。なお、表側第１突出片２１Ｓの第１裏面１４Ｂは、周囲の領域と面一である。また、裏側第１突出片２１Ｂの第２裏面１５Ｂは、第２裏面１５Ｂに凹部形状の窪みを設けることによって、周囲の領域より１段低くなるように形成されている。なお、裏側第１突出片２１Ｂの第２表面１５Ａは、周囲の領域と面一である。表側第１突出片２１Ｓおよび裏側第１突出片２１Ｂは、互いに対向する対をなす片であって、ほぼ平坦な第１裏面１４Ｂおよび第２表面１５Ａが突き合わされることによって、差込部１２を構成する。表側第１突出片２１Ｓの第１表面１４Ａと裏側第１突出片２１Ｂの第２裏面１５Ｂとは、第１間隔２２（差込部１２の厚さに相当）を有することになる。
【００２６】
被覆体１１の差込凹部１３は、表部材１４から相手方の被覆体１１の方向に突出する表側第２突出片２３Ｓと、裏部材１５から相手方の被覆体１１の方向に突出する裏側第２突出片２３Ｂとを備えている。表側第２突出片２３Ｓの第１表面１４Ａは、周囲の領域と面一であり、第１裏面１４Ｂは、第１裏面１４Ｂに凹部形状の窪みを設けることによって、周囲の領域より１段低くなるように形成されている。また、裏側第２突出片２３Ｂの第２裏面１５Ｂは、周囲の領域と面一であり、第２表面１５Ａは、第２表面１５Ａに凹部形状の窪みを設けることによって、周囲の領域より１段低くなるように形成されている。表側第２突出片２３Ｓおよび裏側第２突出片２３Ｂは、互いに対向する対をなす片であって、凹部形状の窪みを有した第１裏面１４Ｂおよび第２表面１５Ａを対向させることによって、第１裏面１４Ｂと第２表面１５Ａとの間に差込凹部１３を構成する。そして、表側第２突出片２３Ｓの第１表面１４Ａと裏側第２突出片２３Ｂの第２裏面１５Ｂとの間が第２間隔２４を有し、第２間隔２４は、差込凹部１３の部分の厚さとなる。胸部プロテクター１０は、第２間隔２４が第１間隔２２より大きくなるように設定されることで、表部材１４と裏部材１５とを重ねた積層体の厚みの範囲内で、差込部１２を差込凹部１３に差し込み可能とする構造を実現している。
【００２７】
差込部１２を構成する表側第１突出片２１Ｓの第１表面１４Ａは、被係合部としての凹部２５を備えている。凹部２５は、一例として、第１表面１４Ａの基端部に配置されている。また、差込凹部１３を構成する表側第２突出片２３Ｓの第１裏面１４Ｂは、凹部２５に係合する係合部としての突部２６を備えている。突部２６は、一例として、第１裏面１４Ｂの先端部に配置されている。表側第１突出片２１Ｓの第１表面１４Ａおよび表側第２突出片２３Ｓの第１裏面１４Ｂの各々は、互いに相対して対向する対向面である。凹部２５と突部２６は、差込凹部１３に対する差込部１２の挿抜方向に対して交差する方向、一例として直交する方向に延在する凹条部と突条部である。差込凹部１３に対して差込部１２が挿入されている状態において、突部２６は、凹部２５に係合することによって、差込部１２が差込凹部１３に対して抜けにくくする。
一例として、凹部２５と突部２６は、上から２つ目から４つ目の差込部１２および差込凹部１３に設けられている。
【００２８】
差込部１２を構成する表側第１突出片２１Ｓの第１表面１４Ａは、先端部に、第１裏面１４Ｂ側を頂部としたテーパ部２７Ａを備えている。テーパ部２７Ａは、差込部１２の先端部を先細りとし、差込凹部１３に差し込みし易くしている。差込凹部１３を構成する裏側第２突出片２３Ｂの第２表面１５Ａも、先端部に、第２裏面１５Ｂ側を頂部としたテーパ部２７Ｂを備えている。テーパ部２７Ｂは、差込凹部１３の開口端を拡幅し、差込部１２を差し込み易くする。
【００２９】
さらに、差込部１２を構成する表側第１突出片２１Ｓの第１表面１４Ａは、胸部プロテクター１０の装着時における上下方向における中央部に被案内部としての案内突部２８Ａを備えている。案内突部２８Ａは、案内突部２８Ａの上下、すなわち両側を凹部とすることによって構成されている。また、案内突部２８Ａの基端部は、上下方向に延びている。上述の凹部２５は、案内突部２８Ａに設けられている。一方、差込凹部１３を構成する表側第２突出片２３Ｓの第１裏面１４Ｂは、胸部プロテクター１０の装着時における上下方向における中央部に案内部としての案内溝２８Ｂを備えている。案内溝２８Ｂは、案内溝２８Ｂの上下、すなわち両側を突部とすることによって構成されている。案内突部２８Ａは、案内溝２８Ｂに係合されることによって、差込部１２を差込凹部１３に容易に差し込むことができる。また、表側第１突出片２１Ｓは、案内突部２８Ａを設けて薄い部分を少なくし強度を高めることができる。加えて、案内突部２８Ａのような凹凸構造を設けることで、強度を高めることができる。
なお、差込部１２を構成する裏側第１突出片２１Ｂの第２裏面１５Ｂにも、案内溝２８Ｂが設けられ、差込凹部１３を構成する裏側第２突出片２３Ｂの第２表面１５Ａにも、案内突部２８Ａが設けられている。これにより、薄い部分を少なくし強度を高め、さらに、凹凸構造を設けることで、裏側第１突出片２１Ｂの強度も高めることができる。
【００３０】
以上のように構成される表部材１４および裏部材１５は、具体的に次のような中空構造を有している。図６に示すように、表部材１４および裏部材１５は、複数のセルＳが並設されたコア層３２の上下両面にラミネートシート３３，３４を熱溶着で接合することにより形成されている。図６（ｂ）および（ｃ）に示すように、コア層３２は、熱可塑性樹脂製のシート材であって所定形状に成形された一枚のシート材を折り畳んで形成されている。そして、コア層３２は、上壁３２ａと、下壁３２ｂと、上壁３２ａおよび下壁３２ｂの間に立設されて六角柱状の筒部を並設する中間壁３２ｃとから構成されている。また、これら上壁３２ａ、下壁３２ｂ、中間壁３２ｃによって、コア層３２の内部に六角柱状のセルＳが区画形成されている。
【００３１】
コア層３２の内部に区画形成されるセルＳには、構成の異なる第１セルＳ１および第２セルＳ２が存在する。図６（ｂ）に示すように、第１セルＳ１は、その上端が二層構造の上壁３２ａによって閉塞されるとともに、同下端が一層構造の下壁３２ｂによって閉塞されている。この二層構造の上壁３２ａの各層は互いに接合されている。一方、図６（ｃ）に示すように、第２セルＳ２は、その上端が一層構造の上壁３２ａによって閉塞されるとともに、同下端が二層構造の下壁３２ｂによって閉塞されている。この二層構造の下壁３２ｂの各層間は互いに接合されている。また、図６（ｂ）および（ｃ）に示すように、隣接する第１セルＳ１同士の間、および隣接する第２セルＳ２同士の間は、それぞれ二層構造の中間壁３２ｃによって区画されている。
【００３２】
図６（ａ）に示すように、第１セルＳ１および第２セルＳ２は、Ｘ方向において第１セルＳ１同士または第２セルＳ２同士が隣接して列を形成するように配置されている。また、Ｘ方向に直交するＹ方向において、第１セルＳ１の列と第２セルＳ２の列とが交互に隣接配置されている。そして、これら第１セルＳ１および第２セルＳ２により、コア層３２は、ハニカム構造をなしている。
【００３３】
図７（ａ）に示すように、コア層３２を構成するシート材１００は、一枚の熱可塑性樹脂製のシートを所定の形状に成形することにより形成される。シート材１００には、帯状をなす平面領域１１０および膨出領域１２０がその幅方向（Ｘ方向）に交互に配置されている。膨出領域１２０には、上面と一対の側面とからなる断面下向溝状をなす第１膨出部１２１が膨出領域１２０の延びる方向（Ｙ方向）の全体にわたって形成されている。なお、第１膨出部１２１の上面と側面とのなす角は９０度であることが好ましく、その結果として、第１膨出部１２１の断面形状は下向コ字状となる。また、第１膨出部１２１の幅（上面の短手方向の長さ）は平面領域１１０の幅と等しく、かつ第１膨出部１２１の膨出高さ（側面の短手方向の長さ）の２倍の長さとなるように設定されている。
【００３４】
図７（ａ）に示すように、膨出領域１２０には、その断面形状が正六角形を最も長い対角線で二分して得られる台形状をなす複数の第２膨出部１２２が、第１膨出部１２１に直交するように形成されている。第２膨出部１２２の膨出高さは第１膨出部１２１の膨出高さと等しくなるように設定されている。また、隣り合う第２膨出部１２２間の間隔は、第２膨出部１２２の上面の幅と等しくなっている。なお、こうした第１膨出部１２１および第２膨出部１２２は、シートの塑性を利用してシートを部分的に上方に膨出させることにより形成されている。また、シート材１００は、真空成形法や圧縮成形法等の周知の成形方法によって１枚のシートから成形することができる。
【００３５】
図７（ａ）および（ｂ）に示すように、上述のように構成されたシート材１００を、境界線Ｐ、Ｑに沿って折り畳むことでコア層３２が形成される。具体的には、シート材１００を、平面領域１１０と膨出領域１２０との境界線Ｐにて谷折りするとともに、第１膨出部１２１の上面と側面との境界線Ｑにて山折りしてＸ方向に圧縮する。そして、図７（ｂ）および（ｃ）に示すように、第１膨出部１２１の上面と側面とが折り重なるとともに、第２膨出部１２２の端面と平面領域１１０とが折り重なることによって、一つの膨出領域１２０に対して一つのＹ方向に延びる角柱状の区画体１３０が形成される。こうした区画体１３０がＸ方向に連続して形成されていくことにより板状のコア層３２が形成される。
【００３６】
このとき、第１膨出部１２１の上面と側面とによってコア層３２の上壁３２ａが形成されるとともに、第２膨出部１２２の端面と平面領域１１０とによってコア層３２の下壁３２ｂが形成される。なお、図７（ｃ）に示すように、上壁３２ａにおける第１膨出部１２１の上面と側面とが折り重なって二層構造を形成する部分、および下壁３２ｂにおける第２膨出部１２２の端面と平面領域１１０とが折り重なって二層構造を形成する部分がそれぞれ重ね合わせ部１３１となる。
【００３７】
図６（ｂ）および（ｃ）に示すように、隣り合う一対の区画体１３０間に区画形成される六角柱状の領域が第２セルＳ２となるとともに、隣り合う一対の区画体１３０間に区画形成される六角柱状の領域が第１セルＳ１となる。本実施形態では、第２膨出部１２２の上面および側面が第２セルＳ２の側壁を構成するとともに、第２膨出部１２２の側面と、膨出領域１２０における第２膨出部１２２間に位置する平面部分とが第１セルＳ１の側壁を構成する。そして、第２膨出部１２２の上面同士の当接部位、および膨出領域１２０における上記平面部分同士の当接部位が二層構造をなす中間壁３２ｃとなる。また、第１セルＳ１では、一対の重ね合わせ部１３１によってその上端が閉塞され、第２セルＳ２では、一対の重ね合わせ部１３１によってその下端が閉塞されている。
【００３８】
上記のようにして折り畳み成形されたコア層３２の上面および下面には、それぞれラミネートシート３３およびラミネートシート３４が熱溶着により接合されている。
図６（ｂ）に示すように、上面のラミネートシート３３は、外面側（図６（ｂ）において上側）に配置される熱可塑性樹脂製のスキン層３３ａと、そのスキン層３３ａに接合された接着層３３ｂとの二層構造をなしており、スキン層３３ａが接着層３３ｂを介してコア層３２に接合されている。すなわち、表部材１４および裏部材１５においてコア層３２とスキン層３３ａとの間に接着層３３ｂが介在されている。ラミネートシート３３は、例えば、共押出成形によりスキン層３３ａおよび接着層３３ｂが一体化された状態で製造したり、それぞれ独立して製造したスキン層３３ａおよび接着層３３ｂを熱溶着により接合したりすることで得られる。
【００３９】
図６（ｂ）に示すように、下面のラミネートシート３４は、上面のラミネートシート３と同様に、外面側（図６（ｂ）において下側）に配置される熱可塑性樹脂製のスキン層３４ａと、スキン層３４ａに接合された接着層３４ｂとの二層構造を成しており、スキン層３４ａが接着層３４ｂを介してコア層３２に接合されている。すなわち、表部材１４および裏部材１５においてコア層３２とスキン層３４ａとの間に接着層３４ｂが介在されている。ラミネートシート３４におけるスキン層３４ａおよび接着層３４ｂは、それぞれラミネートシート３３におけるスキン層３３ａおよび接着層３３ｂと同じ厚みに形成されている。
【００４０】
なお、これらコア層３２、スキン層３３ａ、スキン層３４ａは、従来公知の熱可塑性樹脂を使用することができる。例えば、ポリカーボネート樹脂、ポリエチレン樹脂、ポリプロピレン樹脂、ポリ塩化ビニル樹脂、ポリスチレン樹脂、ポリ塩化ビニル樹脂、ポリウレタン樹脂、アクリロニトリルーブタジエンースチレン樹脂、アクリル樹脂等が挙げられる。コア層３２、スキン層３３ａ、スキン層３４ａを同じ材質の熱可塑性樹脂とすることにより、表部材１４および裏部材１５での反り等が発生し難くなる。
【００４１】
次に、以上のように構成された胸部プロテクター１０は次のような作用を有する。
以上のように構成された胸部プロテクター１０は、次のように使用される。
まず、胸部プロテクター１０を着用体１の裏側に取り付ける仕様の場合は、表部材１４および裏部材１５が結合ピン１７によって結合され、さらに、結合ベルト７で結合される。このように構成された胸部プロテクター１０は、次に、着用体１の裏側に雌ボタンに、結合ベルト７の雄ボタンが結合される。これにより、胸部プロテクター１０は、着用体１と一体となり、着用体１の装着と一緒に装着することができる。
また、装着ベルト２で胸部プロテクター１０を着用する仕様の場合は、表部材１４および裏部材１５が結合ピン１７によって結合され、さらに、装着ベルト２が連結された取付部３が表側結合孔１６Ｓおよび裏側結合孔１６Ｂ、ならびに、表側挿通孔１８Ｓおよび裏側挿通孔１８Ｂを利用して被覆体１１に取り付けられる。そして、左側被覆体１１Ｌおよび右側被覆体１１Ｒが左右に分離された状態で、装着ベルト２を着用者の肩部に掛けて胸部プロテクター１０を着用者胸部の前面に配置する。その後、左右に分離されている左側被覆体１１Ｌおよび右側被覆体１１Ｒを結合する。胸部プロテクター１０を装着した後、着用者は、胸部プロテクター１０の上側に着用体１を着用する。
【００４２】
左側被覆体１１Ｌおよび右側被覆体１１Ｒの結合は次のように行う。
左側被覆体１１Ｌの左側差込部１２Ｌは、右側被覆体１１Ｒの右側差込凹部１３Ｒに差し込まれ、右側被覆体１１Ｒの右側差込部１２Ｒは、左側被覆体１１Ｌの左側差込凹部１３Ｌに差し込まれる。この際、差込部１２および差込凹部１３は、テーパ部２７Ａおよびテーパ部２７Ｂを有しているので、差込凹部１３に容易に挿入することができる。そして、左側被覆体１１Ｌと右側被覆体１１Ｒとは、左右に互いに近接する方向に移動させる。この際、案内溝２８Ｂに案内突部２８Ａが係合することで、容易に左右方向に移動させることができる。そして、差込部１２の突部２６は、差込凹部１３の凹部２５に係合される。これにより、差込部１２が差込凹部１３に差し込まれた状態が維持される。
【００４３】
差込部１２を差込凹部１３から引き抜くには、左側被覆体１１Ｌと右側被覆体１１Ｒとを左右に離間する方向に移動させる。図８に示すように、この際、差込部１２が差込凹部１３に差し込まれた状態から差込部１２が差込凹部１３に差し込まれた部分が裏から表に向けて突き出る矢印Ｄ１方向に曲げる力を加える。すると、差込部１２を構成する表側第１突出片２１Ｓの第１表面１４Ａの先端部が差込凹部１３を構成する表側第２突出片２３Ｓの第１裏面１４Ｂの基端部に突き当たり、ここを支点として、差込凹部１３に対する差込部１２のがたつきの分、変位する。支点となる位置は、差込凹部１３の開口端に近い凹部２５と突部２６の係合位置に対して、差込凹部１３の奥部である。これにより、凹部２５と突部２６とは、差込部１２の表側第１突出片２１Ｓと表側第２突出片２３Ｓとの間に広がる間隙に位置することとなり、係合した状態が解除される。凹部２５と突部２６との係合が解除された状態を維持して、左側被覆体１１Ｌと右側被覆体１１Ｒとは、左右に離間する方向に移動させる。これにより、差込部１２は、差込凹部１３から引き抜かれる。
【００４４】
胸部プロテクター１０を装着しているときに、外部から矢印Ｄ２方向の力が加わったときは、次のようになる。差込凹部１３を構成する表側第２突出片２３Ｓの第１裏面１４Ｂの先端部は、差込部１２を構成する表側第１突出片２１Ｓの第１表面１４Ａの基端部に突き当たる。これは、凹部２５に対して突部２６が強く係合する方向の変位と同じである。これにより、差込部１２が差込凹部１３から外れにくくなる。
【００４５】
以上のような胸部プロテクター１０によれば、以下に列記するような効果を得ることができる。
（１）着用体１のファスナーを下げた状態で、差込部１２が差込凹部１３に差し込まれた部分に対して裏から表に向けて突き出る矢印Ｄ１方向に曲げる力を加えながら左側被覆体１１Ｌと右側被覆体１１Ｒとを左右に離間する方向に移動させる。これにより、左側被覆体１１Ｌと右側被覆体１１Ｒとを容易に分離することができる。そして、着用者は、休憩時などに涼をとることができる。
【００４６】
（２）外部から矢印Ｄ２方向の力が加わったときは、差込凹部１３を構成する表側第２突出片２３Ｓの第１裏面１４Ｂの中央部分が差込部１２を構成する表側第１突出片２１Ｓの第１表面１４Ａの中央部分に押され、さらに、凹部２５と突部２６の係合した状態が維持される。これにより、左側被覆体１１Ｌと右側被覆体１１Ｒとが分離されにくくなる。したがって、着用者胸部を胸部プロテクター１０で保護することができる。
（３）被覆体１１は、表部材１４と裏部材１５とで構成されることから、胸部プロテクターとしての十分な強度を維持することができる。
【００４７】
（４）表部材１４に表側第１突出片２１Ｓおよび表側第２突出片２３Ｓを設け、裏部材１５に裏側第１突出片２１Ｂおよび裏側第２突出片２３Ｂを設けるだけで、差込部１２および差込凹部１３を容易で簡単に構成することができる。
（５）上記（１）および（２）の効果は、凹部２５を表側第１突出片２１Ｓに設け、突部２６を表側第２突出片２３Ｓに設けることで実現することができる。
【００４８】
（６）上記（１）および（２）の効果は、差込部１２の凹部２５を第１表面１４Ａの基端部に配置し、差込凹部１３の突部２６を第１裏面１４Ｂの先端部に配置することで実現することができる。
（７）表部材１４および裏部材１５は、中空構造体で構成されるので軽量化を達成することができるとともに、剛性にも優れ、耐衝撃性に優れたものとすることができる。
【００４９】
なお、上記実施形態は、以下のように適宜変更して実施することもできる。
・表側貫通孔１９Ｓおよび裏側貫通孔１９Ｂの幾つかは、取付部３を取り付けるための取付孔として機能させることができる。この場合、取付部３を被覆体１１に対して取り付けるためのピンが挿通されピンがかしめられる。なお、取付部３は、結合ベルトによっても、被覆体１１に取り付けることができる。
・差込部１２の部分の厚さや差込凹部１３の部分の厚さは、左側被覆体１１Ｌと右側被覆体１１Ｒの着脱作業や着用者胸部の保護機能の妨げとならないのであれば、表部材１４および裏部材１５を重ねた積層体の厚さより厚くてもよい。
・表側貫通孔１９Ｓおよび裏側貫通孔１９Ｂを設ける位置や数は特に限定されるものではない。また、表部材１４の表側貫通孔１９Ｓの位置と裏部材１５の裏側貫通孔１９Ｂの位置はずれていてもよい。また、表部材１４および裏部材１５の構成の簡素化のため、表側貫通孔１９Ｓおよび裏側貫通孔１９Ｂを設けなくてもよい。
・表部材１４および裏部材１５の中空構造体としては、ハニカム構造以外の格子構造（三角格子構造、四角格子構造など）を備えていてもよい。また、十分な強度を得ることができる場合などには、表部材１４および裏部材は、中空構造体でなくてもよい。また、表部材１４および裏部材の何れか一方が中空構造体でなくてもよい。
・表部材１４および裏部材１５はブロー成形体であってもよい。ただし、上述の中空構造体の方が軽量化を実現することができる。また、その他、表部材１４および裏部材１５は射出成形体や発泡板材をプレス成形したものでもよい。
・表部材１４および裏部材１５の間には、さらに中空構造体の板体を、１つまたは複数、介在させるようにしてもよい。
・中空構造体は、一例として、プレス成形または真空成形で曲げ加工して、胸部に倣う形状に湾曲させることができる。
【００５０】
・差込部１２が差込凹部１３に差し込まれた部分が矢印Ｄ１方向に力を加えながら左側被覆体１１Ｌと右側被覆体１１Ｒとを分離させることができれば、その構造は特に限定されるものではない。
例えば、差込部１２を構成する表側第１突出片２１Ｓの第１表面１４Ａに突部２６を設け、差込凹部１３を構成する表側第２突出片２３Ｓの第１裏面１４Ｂに凹部２５を設けるようにしてもよい。
また、差込部１２を構成する裏側第１突出片２１Ｂの第２裏面１５Ｂに凹部２５および突部２６の何れか一方を設け、差込凹部１３を構成する裏側第２突出片２３Ｂの第２表面１５Ａに凹部２５および突部２６の他方を設けるようにしてもよい。裏側第１突出片２１Ｂの第２裏面１５Ｂおよび裏側第２突出片２３Ｂの第２表面１５Ａの各々は、互いに相対して対向する対向面である。
凹部２５および突部２６は、どの差込部１２および差込凹部１３に設けるようにしてもよい。一例として、全ての差込部１２とおよび差込凹部１３に対して凹部２５および突部２６を設けるようにしてもよいし、一例として、１つの差込部１２とおよび差込凹部１３に対して凹部２５および突部２６を設けるようにしてもよい。また、２つ目と３つ目の差込部１２および差込凹部１３に凹部２５および突部２６を設けるようにしてもよい。
また、その他の位置に突部や凹部を設けるようにしてもよい。
【００５１】
・差込部１２が差込凹部１３に差し込まれた状態に維持する構造は、上記の例に限定されるものではない。一例として、差込部１２に弾性係合片および係合孔の何れか一方を設け、差込凹部に弾性係合片および係合孔の他方を設けるようにしてもよい。この場合、弾性係合片を弾性変位させることによって、弾性係合片の先端部に設けられた係合突起を係合孔に対して係脱させることができる。そして、弾性係合片を弾性変位させて、係合孔から係合突起を外すことによって、左側被覆体１１Ｌと右側被覆体１１Ｒとを分離させることができる。一例として、差込部１２を雄バックルで構成し、差込凹部１３を雌バックルで構成し、左右方向や上下方向に移動させて着脱を行うことができるようにしてもよい。
・差込部１２を差込凹部１３に差し込む方向は、左右方向ではなく、上下方向であってもよい。
・左側被覆体１１Ｌと右側被覆体１１Ｒの何れか一方だけに差込部１２を設け、他方の側だけに差込凹部１３を設けるようにしてもよい。
・差込部１２および差込凹部１３の数は、１つでもよいし、複数であってもよい。また、差込部１２や差込凹部１３の形状や幅は、それぞれ異なっていてもよい。
【００５２】
・被覆体１１において、表部材１４と裏部材１５との積層体は、強度を高めるため、更に中空構造体の板材やシート材などが挿入されていてもよい。また、表部材１４と裏部材１５との間には、衝撃吸収のため、クッション材が挿入されていてもよい。
・差込部１２および差込凹部１３は、１つずつであってもよい。
【符号の説明】
【００５３】
１…着用体、２…装着ベルト、３…取付部、３Ｌ…左側取付部、３Ｒ…右側取付部、４Ｌ…左側肩掛けベルト部、４Ｒ…右側肩掛けベルト部、５…周回ベルト部、６…背部ベルト部、７…結合ベルト、１０…胸部プロテクター、１１…被覆体、１１Ｌ…左側被覆体、１１Ｒ…右側被覆体、１２…差込部、１２Ｌ…左側差込部、１２Ｒ…右側差込部、１３…差込凹部、１３Ｌ…左側差込凹部、１３Ｒ…右側差込凹部、１４…表部材、１４Ａ…第１表面、１４Ｂ…第１裏面、１４Ｌ…左側表部材、１４Ｒ…右側表部材、１５…裏部材、１５Ａ…第２表面、１５Ｂ…第２裏面、１５Ｌ…左側裏部材、１５Ｒ…右側裏部材、１６Ｂ…裏側結合孔、１６Ｓ…表側結合孔、１７…結合ピン、１８Ｂ…裏側挿通孔、１８Ｓ…表側挿通孔、１９Ｂ…裏側貫通孔、１９Ｓ…表側貫通孔、２１Ｂ…裏側第１突出片、２１Ｓ…表側第１突出片、２２…第１間隔、２３Ｂ…裏側第２突出片、２３Ｓ…表側第２突出片、２４…第２間隔、２５…凹部、２６…突部、２７Ａ…テーパ部、２７Ｂ…テーパ部、２８Ａ…案内突部、２８Ｂ…案内溝、３２…コア層、３２ａ…上壁、３２ｂ…下壁、３２ｃ…中間壁、３３…ラミネートシート、３３ａ…スキン層、３３ｂ…接着層、３４…ラミネートシート、３４ａ…スキン層、３４ｂ…接着層、１００…シート材、１１０…平面領域、１２０…膨出領域、１２１…第１膨出部、１２２…第２膨出部、１３０…区画体、１３１…重ね合わせ部。
【図１】
2018154947.tif 000003
【図２】
2018154947.tif 000004
【図３】
2018154947.tif 000005
【図４】
2018154947.tif 000006
【図５】
2018154947.tif 000007
【図６】
2018154947.tif 000008
【図７】
2018154947.tif 000009
【図８】
2018154947.tif 000010